(57)【特許請求の範囲】
【請求項１】
下部に音声文字入力をしたＩＣカードを挿入する挿入部を設け、音声データ等の書き換えができる通信機器を内蔵した制御装置、聴覚障害者が大音量で聞くことができる大音量の音声を出力するスピーカー及び電源を設けた基盤と、曜日センサー、日付センサーからなり前記曜日センサー及び前記日付センサー共に配線により前記制御装置に接続したセンサー部とからなり、下部には通信用の送受信機等を内蔵している非常ボタン及びリモコンセンサーを設けた本体に表面部の中央にはタイトルであるタッチパネル式ディスプレイである「市町村のお知らせ」、月を表示した月表示、曜日を表示した曜日表示及び日を表示した日付表示を印刷したカバーを着脱可能に取り付けたカレンダー装置と、前記カレンダー装置の制御装置の挿入部に着脱でき音声文字入力をした前記ＩＣカードに行事内容等の情報入力を行う情報入力用コンピューターと、枠組みであるボックスと、扉と、換気ユニットとからなり、前記カレンダー装置のＩＣカードに、聞こえやすくより鮮明に音声データを入力する音声データ入力ブースと、前記カレンダー装置を遠隔操作するリモートコントロールユニットとからなり、前記本体に着脱可能に取り付けたカバーの該当する日付表示を押すことで公共行事などの音声案内がスピーカーから流れ、聴力の低下した聴覚障害者の方でもスピーカーに連設した音声変換装置で聞きやすく変換することにより、自動的に情報支援を行うことができることを特徴とするカレンダー装置システム。
【発明の詳細な説明】
【０００１】
【発明が属する技術分野】
本発明は、官公庁の行事を音声で知らせるカレンダー装置に関する発明である。
【０００２】
【従来の技術】
従来のカレンダー装置は、特許公開平６−０１９３９５号の公開広報に記載されている「カレンダー表示装置」のように、行事に対応する文字／記号目盛りの記号を、文字／記号発生回路で読み取り、カレンダー上で行事予定のある日付の代わりに当該記号で置換するようマイクロプロセッサ回路へ指令することにより、カレンダー表示中に、行事に対応する記号を表示するカレンダー表示装置である。
【０００３】
【発明が解決しようとする課題】
しかしながら、従来の「カレンダー装置」は、行事予定のある日付の代わりに記号で置換し、カレンダー表示中に表示するにとどまり、日付の代わりに記号で表示することは、お年寄りなど高齢者や視覚障害者の方にとって、表示上、文字が細かく見にくいとの問題がある。
【０００４】
また、市販されているメモリ機能、カレンダー機能を有した携帯性のスケジュール管理表では、官公庁の年間の行事等をカレンダーの日付毎にタッチペンやキーボードなどを使用して入力しなければならないので、お年寄りなどの高齢者や視覚障害者の方にとって、文字入力を行うことは非常に困難である。
【０００５】
そこで、本発明は、官公庁の年間の行事予定等を予め音声入力した小型のＩＣカードを使用し、高齢者や視覚障害者の方にとって表示上、文字が見やすく、官公庁の行事が行われる日付ごとに、文字入力を行うことなく押下ボタンを押すだけで官公庁の行事の案内が得られるカレンダー装置を提供する事を目的とするものである。
【０００６】
【課題を解決するための手段】
本発明は、上記の課題を解決するために、
下部に音声文字入力をしたＩＣカード１５を挿入する挿入部１３ｄを設け、音声データ等の書き換えができる通信機器を内蔵した制御装置１８ｃ、聴覚障害者が大音量で聞くことができる大音量の音声を出力するスピーカー１８ｈ及び電源１８ｄを設けた基盤１８ａと、曜日センサー１８ｅ、日付センサー１８ｆからなり前記曜日センサー１８ｅ及び前記日付センサー１８ｆ共に配線１８ｇにより前記制御装置１８ｃに接続したセンサー部１８ｂとからなり、下部には通信用の送受信機等を内蔵している非常ボタン１８ｉ及びリモコンセンサー１８ｊを設けた本体１８に表面部の中央にはタイトルであるタッチパネル式ディスプレイである「市町村のお知らせ」１４ａ、月を表示した月表示１４ｂ、曜日を表示した曜日表示１４ｃ及び日を表示した日付表示１４ｄを印刷したカバー１４を着脱可能に取り付けたカレンダー装置１３ａと、
前記カレンダー装置１３ａの制御装置１８ｃの挿入部１３ｄに着脱でき音声文字入力をした前記ＩＣカード１５に行事内容等の情報入力を行う情報入力用コンピューター１６と、
枠組みであるボックス２０ａと、扉２０ｂと、換気ユニット２０ｃとからなり、前記カレンダー装置１３ａのＩＣカード１５に、聞こえやすくより鮮明に音声データを入力する音声データ入力ブース２０と、
前記カレンダー装置１３ａを遠隔操作するリモートコントロールユニット１７とからなり、
前記本体１８に着脱可能に取り付けたカバー１４の該当する日付表示１４ｄを押すことで公共行事などの音声案内がスピーカー１８ｈから流れ、聴力の低下した聴覚障害者の方でもスピーカー１８ｈに連設した音声変換装置で聞きやすく変換することにより、自動的に情報支援を行うことができることを特徴とするカレンダー装置システムの構成とした。
【０００７】
【実施例】
以下、図を参照しながら本発明であるカレンダー装置を詳細に説明する。図１は、本発明であるカレンダー装置の全体を構成するカバーと、本体と、本体の内部を構成するセンサー部とに分解し示した斜視図である。図２は本発明であるカレンダー装置を構成するカバーの正面図、図３は本発明であるカレンダー装置を構成する本体の正面図である。、図４は本発明であるカレンダー装置を構成し、カバーに取り付けた月次カレンダーの正面図である。
【０００８】
図１に示すように、本発明であるカレンダー装置１は、長方形状のカバー２と、カバー２を取り付けるための本体４と、本体４の側面に設けた挿入部９へ挿入するＩＣカード１０とからなる。
【０００９】
カレンダー装置１を構成し本体４に取り付けるカバー２の表面の表示部３は、タイトル表示部３ａとカレンダー表示部３ｂとからなる。タイトル表示部３ａは、西暦年号や月が予め印刷された薄いプラスチック製のフィルムである。タイトル表示部３ａは印刷表示であるが、市販の液晶画面等に切替することもできる。
【００１０】
カレンダー表示部３ｂは、６ヶ月分の月日を示した月次カレンダー３ｃ、３ｄ、３ｅ、３ｆ、３ｇ、３ｈを印刷し表示したものである。タイトル表示部３ａの左端部には、音声を出力するスピーカー８ｂ用のカバー８ａが取り付けられている。
【００１１】
図３に示すように、本発明であるカレンダー装置１の内を構成する本体４の表面は、基盤部５ａとセンサー部５とからなる。基盤部５ａは、基盤部５ａ上に取り付けた中央処理装置（以下、ＣＰＵという）７や、スピーカー部８等とを接合する基となる板である。
【００１２】
ＣＰＵ７は、官公庁の音声情報が入力されたＩＣカード１０の情報を読みとる処理や、お年寄りが特定の日付の情報を引き出す際、月次カレンダー３ｃ〜３ｈ上に取り付けた日付ボタンを押し、ＩＣカード１０から特定の日付の情報を読み出すまでの処理を行う。次項目で、基盤部５ａに接続した各装置を説明する。
【００１３】
基盤部５ａは、基盤６の上部に直接取り付けられたＣＰＵ７と、基盤６の左端部分で音声で出力を行うスピーカー部８と、基盤６の右端部でＩＣカード１０を自由に着脱できる挿入部９からなる。スピーカー部８及び挿入部９は配線６ａ、６ｉで接続されている。
【００１４】
センサー部５には、カバー２の月次カレンダー３ｃ〜３ｈの下に置かれて、本体４に設けられている押圧センサー５ｂがある。押圧センサー５ｂは、カバー２に印刷されている月次カレンダー３ｃ〜３ｈに対応すべく、６ヶ月分の月日を示した月次センサー５ｃ、５ｄ、５ｅ、５ｆ、５ｇ、５ｈで行う。
【００１５】
月次センサー５ｃ〜５ｈは、月次センサー５ｃ〜５ｈの上部にＣＰＵ等の処理装置を取り付けた小基盤５ｉ、５ｊ、５ｋ、５ｌ、５ｍ、５ｎと、月次センサー５ｃ〜５ｈの下部に複数の日付ボタンを取り付けたボタンセンサー５ｏ、５ｐ、５ｑ、５ｒ、５ｓ、５ｔとからなる。
【００１６】
本体４の側面には、挿入部９が設けられている。挿入部９は、基盤６から配線６ａによって接続され、外部から官公庁の行事が入力された記憶装置である音声情報ＩＣカード１０を差し込むことができる。
【００１７】
図２に示すように、カバー２の表示部３のタイトル表示部３ａの枠を示す表示枠３ｖは、西暦の年号を示す２００２年の数字と、上期分の月表示した１月から６月までの数字が印刷されている。
【００１８】
なお、表示枠３ｖへの西暦年号の表示は、西暦年号に限定せず、平成年号でもよい。また、上期分の月表示も限定するものでなく、下期分である７月〜１２月の６ヶ月分であればよい。
【００１９】
月次カレンダー３ｃ〜３ｈは、カバー２に一体的に形成されたもので、略正方形状である。また、月次カレンダー３ｃ〜３ｈを構成する押下ボタン３ｏ〜３ｔの形状は、略正方形状である。勿論、その形状は円形でも長方形状でも、その他の形状でもよく、形状を限定するものではない。
【００２０】
６ヶ月間のカレンダーを設けたカレンダー表示部３ｂを構成する複数の月次カレンダー３ｃ〜３ｈは、各月が印刷された表示スペース３ｉ、３ｊ、３ｋ、３ｌ、３ｍ、３ｎと、凹凸状の押下ボタン３ｏ、３ｐ、３ｑ、３ｒ、３ｓ、３ｔとからなる。
【００２１】
月次カレンダー３ｃ〜３ｈの上部にある表示スペース３ｉ〜３ｎには、１月〜６月の月日が数字で印刷されている。１月は符号３ｉ、２月は符号３ｊ、３月は符号３ｋ、４月は符号３ｌ、５月は符号３ｍ、６月は符号３ｎである。
【００２２】
押下ボタン３ｏ〜３ｔは、５行７列の状態で設けられている。各押下ボタン３ｏ〜３ｔの表面中央には、視覚障害者にも日付等が認識できるよう隆起させて点字加工を施すことができる。
【００２３】
図２に示すように、タイトル表示部３ａの左端部に示したスピーカー部８のカバー８ａは、円形状で、円の内部で音声を出力しやすいよう網等を施したものである。本体４に取り付けたスピーカー８ｂから、官公庁の行事案内等の音声出力を聞くことができる。カバー８ａの形状は変更が可能である。
【００２４】
図４に示すように、月次カレンダー３ｃは、表示スペース３ｉと、複数の押下ボタン３ｏからなる。月次カレンダー３ｃの上部にある表示スペース３ｉは、１月〜６月までの月に限らず個々で年号も印刷することができる。例えば、２００２年１月や、２００２年２月・・・２００２年６月である。
【００２５】
５行７列の状態で設けられた押下ボタン３ｏを構成するのは、個々の押下ボタン３ｕ、３ｕ、３ｕ・・・・。である。個々の押下ボタン３ｕは、日にちを示す１日〜３１日までの数字が印刷されている。なお、押下ボタン３ｕの形状も正方形状以外にも変更ができる。
【００２６】
図５は、本発明であるカレンダー装置を構成し、カバーに取り付けた月次カレンダーと、本体内に取り付けたセンサー部を示した斜視図である。図５に示すように、月次カレンダー３ｃは、カバー２のカレンダー表示部３ｂに取り付けた月次カレンダー３ｃと、本体４のセンサー部５を構成する押圧センサー５ｂとに分割ができる。
【００２７】
本発明であるカレンダー装置１の月次カレンダー３ｃの１ヶ月分を構成する。メンテナンス上でも、カレンダー装置１の本体４全体の交換に及ぶことなく、月次カレンダー３ｃの最小交換単位である１ヶ月毎の交換もできる。
【００２８】
お年寄りなどの高齢者や視覚障害者の方でも、故障が発生しても、容易に故障した月次カレンダー３ｃから、新たな月次カレンダー３ｃへ取り替えることができるようにするためである。
【００２９】
図６は、本発明であるカレンダー装置を構成し、本体内に取り付けたセンサー部を示した正面図である。
【００３０】
月次センサー５ｃの上部に取り付けた小基盤５ｉ〜５ｎは、７列のボタンに対し、配線５ｕ、５ｖ、５ｗ、５ｘ、５ｙ、５ｚ、５ａａで接続する。また、５行７列を構成する３５個毎のボタンセンサー５ｏは、ボタンセンサーの中心の配線５ａｂから、小基盤５ｉ〜５ｎまで接続する。
【００３１】
月次センサー５ｃ〜５ｈの上部に取り付けた小基盤５ｉ〜５ｎは、配線６ｂ、６ｃ、６ｄ、６ｅ、６ｆ、６ｇを介し、基盤６で接続されている。小基盤５ｉ〜５ｎに接続したボタンセンサー５ｏ〜５ｔは、ボタンセンサー５ｏ〜５ｔの中心を押したり、触れたりする事で、小基盤５ｉ〜５ｎを経て、基盤部５の基盤６上のＣＰＵ７まで、日付毎の行事の音声出力の指令が出される。
【００３２】
図７は、本発明であるカレンダー装置を構成する本体の内部のセンサー部の機能を示した正面図である。図７に示すように、本体４の基盤６には、配線を介し電源６ｋを取り付けることができる。
【００３３】
基盤６にスイッチを取り付けた場合は、手動操作等により、基盤６の側面に取り付けたスイッチにより、カレンダー装置１の電源をＯＮ、ＯＦＦすることが可能となる。
【００３４】
基盤６にソーラパネルを取り付けた場合は、自動的に、日光や蛍光灯などの僅かな光源がソーラーパネルに当たることでカレンダー装置１の電源を自動的にＯＮ、ＯＦＦをすることが可能となる。
【００３５】
本体４の下部には、円形状に形成した緊急ボタン６ｊを取り付けができる。緊急ボタン６ｊとは、お年寄りなど高齢者や視覚障害者の方が病気などが発生した場合、消防署、警察、高齢者ヘルパー等の各機関に対し、直接に緊急通信・連絡ができるようにしたボタンである。
【００３６】
緊急ボタン６ｊは、任意の装置であるため、基盤部５ａの基盤６に通信用の送受信機等を取り付け、新たな配線６ｈを基盤６に接続するようにする必要がある。
【００３７】
図８は、本発明であるカレンダー装置を構成するカバーの月次カレンダー上に、複数設けたボタンの一部を示した正面図である。
【００３８】
図８に示したように、押下ボタン３ｕの中央には、日にちを表すための数字３ｗが印刷されている。そして、カバー２に印刷されている数字３ｗを盲目者に便利なように点字で表示する事もできる。
【００３９】
図９は、本発明であるカレンダー装置２個を一組に組合せ、一組のカレンダー装置とし正面を示した正面図である。図９に示すように、一組のカレンダー装置１１は、１月〜６月までの上半期のカレンダー装置１１ａと７月〜１２月までの下半期のカレンダー装置１１ｂの組み合わせたカレンダー装置である。
【００４０】
上半期のカレンダー装置１１ａは月次カレンダー１１ｃ、１１ｄ、１１ｅ、１１ｆ、１１ｇ、１１ｈからなり、下半期のカレンダー装置１１ｂは月次カレンダー１１ｉ、１１ｊ、１１ｋ、１１ｌ、１１ｍ、１１ｎとからなる。
【００４１】
一組のカレンダー装置１１の配置は、上半期のカレンダー装置１１ａと、下半期のカレンダー装置１１ｂを並列に並べ、壁等に掲示することができる。なお、配置を並列及び壁掛けに限定するものであはない。
【００４２】
図１０は、本発明であるカレンダー装置のタイトル表示部の表示文字を大きく表示し、月次カレンダーの配列を３ヶ月に変更し、長方形状に組合せたものである。
【００４３】
カレンダー装置１２は、カバー２ａとカバー２ａに覆われた本体４ａの形状が異なったものである。カバー２ａの上部は、タイトル表示部３ａに「２００２年  市町村のお知らせ  １月版〜６月版」等の文字情報を印刷することもできる。
【００４４】
月次カレンダー３ｃ、３ｄ、３ｅは、図１に示した月次カレンダー３ｃ〜３ｅと同じである。図１０に示したように、月次カレンダー３ｃは、表示スペース３ｉ、３ｊ、３ｋと、押下ボタン３ｏ、３ｐ、３ｑからなる。
【００４５】
月次カレンダー３ｃ〜３ｅは、３ヶ月が水平方向に並べたものである。また、カバー２ａの変更した場合、本体４ａの内部に取り付けた押圧センサー５ｃ、５ｄ、５ｅも図１に示した押圧センサー５ｃ〜５ｅから水平方向に並べて変更できる。
【００４６】
図１１は、本発明であるカレンダー装置システムの構成を示した図である。図１２は、本発明であるカレンダー装置システムの本体内部のセンサー部を示した正面図である。図１３は、本発明であるカレンダー装置システムの表示先を示した正面図である。図１４は、本発明であるカレンダー装置システムの表示方法を示した流れ図である。
【００４７】
図１５及び図１６は、本発明であるカレンダー装置のシステム構成で音声データを入力する音声データ入力ブースを示した正面図と、音声データを入力する音声データ入力ブースの内部を示した正面図である。図１７は本発明であるカレンダー装置システムの構成で使用するリモートコントロールユニットの正面図を示した図である。以下、各添付図面に基づいて詳細を説明する。
【００４８】
図１１に示すように、本例のカレンダー装置システム１３の構成は、カレンダー装置１３ａと、音声文字入力しカレンダー装置１３ａに差し込んで着脱できるＩＣカード等１５に行事内容等の情報入力を行う情報入力用コンピューター１６と、カレンダー装置１３ａを遠隔操作するリモートコントロールユニット１７とからなる。
【００４９】
本例のカレンダー装置システム１３のカレンダー装置１３ａの表面部は、大音量の音声等を出力するスピーカー１３ｂと、非常用ボタン１３ｃと、ＩＣカード等１５を挿入する挿入部１３ｄからなる。また、カレンダー装置１３ａの中央には、月表示１４ｂ等を印刷した着脱可能のカバー１４を取り付けている。カバー１４は、プラスチック製のフィルム等からなる。
【００５０】
スピーカー１３ｂは、聴力の低下した方（以下聴覚障害者という）が大音量で聞くことができる仕組みである。音声等は、スピーカー１３ｂに連設した音声変換装置等で聞きやすく変換することができる。非常ボタン１３ｃとは、お年寄りなど高齢者や障害者の方が外部への緊急通信・連絡ができるようにしたボタンである。
【００５１】
次に、図１１の上部に設けたカバー１４について説明する。カバー１４は、タイトルである「市町村のお知らせ」１４ａ、月を示した月表示１４ｂ、曜日表示１４ｃ及び日付表示１４ｄをからなる印刷を施したカバー１４である。
【００５２】
そして、カバー１４に示した「市町村のお知らせ」１４ａ等の各欄は、タッチパネル式ディスプレイとなっている。よって、該当する日付表示１４ｂを押すことで公共行事などの音声案内がスピーカー１３ｂから流れ、聴覚障害者の方に対しても自動的に情報支援を行うことできる仕組みである。
【００５３】
カバー１４は、視覚障害者の方の場合には、月表示１４ｂ、曜日表示１４ｃ、日付表示１４ｄの文字表示を大きくする、若しくは点字にする等の変更を行うことができる。
【００５４】
なお、本発明であるカレンダー装置システム１３のカレンダー装置１３ａは、被介護、被介助者の居室に設置し、設置方式としては専用スタンドへの設置、あるいは据え置き、壁掛けに対応することができる。次にカレンダー装置１３ａの内部構造について詳細を説明する。
【００５５】
図１２は、本発明であるカレンダー装置システムの本体内部のセンサー部を示した正面図である。図１２に示すように、本発明であるカレンダー装置システム１３のカレンダー装置１３ａの内部である本体１８は、基盤１８ａとセンサー部１８ｂとからなる。
【００５６】
基盤１８ａには、下部にＩＣカード等１５を挿入する挿入部１３ｄを有した制御装置１８ｃがあり、左部に示した長方形状のスピーカー１８ｈ等とを接合する基となる板である。
本体１８の基盤１８ａには、配線１８ｇを介し電源１８ｄを設けた。電源１８ｄの電源元としてソーラーパネル等がある。
【００５７】
一方、センサー部１８ｂは、曜日センサー１８ｅ、日付センサー１８ｆからなり、曜日センサー１８ｅ及び日付センサー１８ｆ共に、配線１８ｇによって制御装置１８ｃまで接続する仕組みである。
【００５８】
本体１８の下部には、円形状の非常ボタン１８ｉ及びリモコンセンサー１８ｊを設けている。非常ボタン１８ｉは、通信用の送受信機等を内蔵している。
【００５９】
制御装置１８ｃは、音声データ等の書き換えができる通信機器を内蔵している。よって、カレンダー装置１３ａは、モジュラー線等で公衆電話回線に接続することで官公庁の行事予定をインターネット等で音声情報を配信することができる。
【００６０】
本例のカレンダー装置システム１３のカレンダー装置１３ａは、公衆電話回線を使用することで屋内外問わずＩＣカード等１５に対し、行事変更等のデータの書き換えを速やかに行うことができる。次に、制御装置１８ｃは、テレビ等に接続することができる。図１３及び図１４において、テレビ等にカレンダー装置１３ａを接続した場合についての詳細を説明する。
【００６１】
図１３は、本発明であるカレンダー装置システムのカレンダー装置の表示先を示した正面図である。図１３に示したカレンダー装置１３ａを端末装置として接続したテレビ１９は、「市町村のお知らせ」１９ｃ等のように、表示部１９ａで文字表示しながら、スピーカー１９ｂから音声を出力することができる。
【００６２】
即ち、テレビ１９は、カレンダー装置１３ａの上部を覆うカバー１４に代わり、テレビ画面上に月表示１４ｂ等の文字を表示できる。よって、カバー１４の材質をフィルム等に限定せず、月表示１４ｂで表示できる月の数を限定しない。
【００６３】
また、テレビ１９の表示部１９ａで表示できる項目は、月表示１９ｄ、日付表示１９ｅ、本日の予定１９ｆ、行事内容１９ｇ、非常ボタン１９ｈ等がある。なおテレビ１９の表示部１９ａに示した項目は、タッチパネル式やリモートコントロールユニット１７でも操作することができる。
【００６４】
図１４で表示できるカレンダー装置の表示方法１３ｅについて説明する。図１４に示したように、カレンダー装置１３ａの表示方法１３ｅは、「市町村のお知らせ」Ｓ１→月表示Ｓ２→日付表示Ｓ３→本日の予定Ｓ４→行政、教育、福祉その他（行事内容）Ｓ５の順番に選択することで、音声やテロップによるアナウンス開始Ｓ６となる。
【００６５】
また、カレンダー装置１３ａの表示方法１３ｅで使用する月表示１９ｄ等の各ボタンは点滅式や色分けを行い識別を容易にすることができる。次に、図１５及び図１６でカレンダー装置システムのカレンダー装置１３ａで音声データを入力する音声データ入力ブース２０について説明する。
【００６６】
図１５及び図１６に示した音声データ入力ブース２０は、本例のカレンダー装置システム１３のカレンダー装置１３ａのＩＣカード等１５に聞こえやすく、より鮮明に音声データを入力するために設けた専用のボックス状の部屋である。
【００６７】
音声データ入力ブース２０は、枠組みであるボックス２０ａと、扉２０ｂと、換気ユニット２０ｃとからなる。ボックス２０ａの表面には、開閉式の扉２０ｂを設け、蝶番２０ｅで止めた防音扉とした。なお、音声データ入力ブース２０の外側、内側共にクロス張りを施し周囲景観に配慮したデザインとした。
【００６８】
図１６に示した音声データ入力ブース２０は、公共機関等に設置でき、音声データ入力ブース２０の外形寸法は、幅９００ｍｍ、高さ１８００ｍｍ、奥行き１８００ｍｍ、遮音性能：Ｄ２５以上（５００Ｈｚ）で収容人員１名のボックス２０ａである。
【００６９】
音声データ入力ブース２０の内部は、収納機材：音声案内入力用機器一式、証明装置があり、機材を収納方式として１９インチラックシステムを設けた。また音声案内の収録方式として、音声案内収録方式：１６Ｂｉｔデジタルオーディオ変換を採用した。
【００７０】
音声データ入力ブース２０の内部は、遮音性能はＤ２５以上（５００Ｈｚ）で設置環境に応じて変更できる。また、２名以上収容の場合には、音声データ入力ブース２０の大きさをオプション設定で拡張することができる。
【００７１】
音声データ入力ブース２０で収録できる音声案内データ量は、最大１年分（１日分を６０秒とした場合）である。よりはっきりと聞きとりやすい案内音声を生成するために、音声記録に際し音声処理であるイコライジング、レベル圧縮、ディエッサー、エンハンサー等の装置を使用し、行事予定である音声を増幅し、マスタリング等の音声入力を行うことができる。
【００７２】
なお、音声入力先の収録装置２０ｆに、ハードディスクを１次メディア：マスタリング用）として用い、次にＩＣカード等１５、ＣＤＲＯＭ（２次メディア：配布用）を使用することができる。
【００７３】
なお、音声データ入力ブース２０内部の付属機器２０ｇとして、マイクロフォン、マイクロフォンヘッドアンプ、ヘッドフォン、電源コンセント、換気扇、エアコン、ブース内照明がある。
【００７４】
図１７は、本発明であるカレンダー装置システムの構成で使用するリモートコントロールユニットの正面図である。リモートコントロール１７は、表示部１７ａと非常用ボタン１７ｂと操作ボタン１７ｃとからなる。リモートコントロールユニット１７全体の素材として、プラスチック等を使用する。
【００７５】
リモートコントロールユニット１７は、非常ボタン１７ｂ及び操作ボタン１７ｃを必要最小限とすることで、お年寄りなど高齢者や視覚障害者の方でも、楽に本発明であるカレンダー装置１３ａを操作することができる。
【００７６】
【発明の効果】
本発明は、以上に説明したような構成であるから以下のような効果が得られる。第１に、お年寄りなど高齢者や視覚障害者の方にはカレンダの数字のみで表示することで見やすく、行事予定を知るにもワンタッチ式の日付カレンダーのため視覚障害者の方でも容易に使用でき、音声出力により官公庁の行事などを知ることができる。
【００７７】
第２に、行事内容を記録させたカバーやＩＣカードは、上半期ごとに随時記録し直しの更新ができるので、携帯性のスケジュール管理表のように本体そのものを変更する必要がない。
【００７８】
第３に、各半期分の官公庁の行事予定を記録、検索することができ、また、過去のＩＣカードを保存していても場所をとらないので、情報の保管及び記録に極めて優れている。
【００７９】
第４に、本発明であるカレンダー装置はＩＣカードに音声入力を行うために、カレンダー装置と、音声文字入力を行ったＩＣカード等と、行事内容等を文字入力を行うコンピューターと、カレンダー装置を遠隔操作するリモートコントロールユニットと、音声を入力する音声データ入力ブースとからなるシステムを構成することができる。
【００８０】
第５に、カレンダー装置はスピーカーが大きいため聴力の低下した聴覚障害者でも官公庁の案内を大音量で聞くことができ、非常ボタンでお年寄りなど高齢者や障害者の方が外部への緊急通信、連絡ができる効果がある。
【００８１】
第６に、カバーは、視覚障害者の方の場合には月表示、曜日表示、日付表示の文字表示を大きくでき、若しくは点字にする等の変更を容易に行うことができる。
【００８２】
第７に、カレンダー装置は、ホームペルパーの派遣、デイケアサービスや社会参加促進のための事業などの人的支援における介護マンパワーの不足を補うことができる。
【００８３】
第８に、リモートコントロールユニットは、お年寄りなど高齢者や障害者の方など身体に障害を持つ人々の安否の確認が遠隔操作で可能になる。また、外部への緊急通信、連絡が可能になる。
【図面の簡単な説明】
【図１】  本発明であるカレンダー装置の全体を構成するカバーと、本体と、本体の内部を構成するセンサー部とに分解し示した斜視図である。
【図２】  本発明であるカレンダー装置を構成するカバーの正面図である。
【図３】  本発明であるカレンダー装置を構成する本体の正面図である。
【図４】  本発明であるカレンダー装置を構成し、カバーに取り付けた月次カレンダーの正面図である。
【図５】  本発明であるカレンダー装置を構成し、カバーに取り付けた月次カレンダーと、本体内に取り付けたセンサー部を示した斜視図である。
【図６】  本発明であるカレンダー装置を構成し、本体内に取り付けたセンサー部を示した正面図である。
【図７】  本発明であるカレンダー装置を構成する本体の内部のセンサー部の機能を示した正面図である。
【図８】  本発明であるカレンダー装置を構成するカバーの月次カレンダー上に、複数設けたボタンの一部を示した正面図である。
【図９】  本発明であるカレンダー装置２個を一組に組合せ、一組のカレンダー装置とし正面を示した正面図である。
【図１０】  本発明であるカレンダー装置のタイトル表示部の表示文字を大きく表示し、月次カレンダーの配列を３ヶ月に変更し組み合わせた正面図である。
【図１１】  本発明であるカレンダー装置システムの構成を示した図である。
【図１２】  本発明であるカレンダー装置システムのカレンダー装置の本体内部のセンサー部を示した正面図である。
【図１３】  本発明であるカレンダー装置システムのカレンダー装置の表示先を示した正面図である。
【図１４】  本発明であるカレンダー装置システムのカレンダー装置の表示方法を示した流れ図である。
【図１５】  本発明であるカレンダー装置のシステムの構成で音声データを入力する音声データ入力ブースを示した正面図である。
【図１６】  本発明であるカレンダー装置のシステムの構成で音声データを入力する音声データ入力ブースの内部を示した正面図である。
【図１７】  本発明であるカレンダー装置のシステムの構成で使用するリモートコントロールユニットの正面図である。
【符号の説明】
１              カレンダー装置
２              カバー
２ａ            カバー
３              表示部
３ａ            タイトル表示部
３ｂ            カレンダー表示部
３ｃ〜３ｈ      月次カレンダー
３ｉ〜３ｎ      表示スペース
３ｏ〜３ｕ      押下ボタン
３ｖ            表示枠
３ｗ            数字
４              本体
４ａ            本体
５              センサー部
５ａ            基盤部
５ｂ            押圧センサー
５ｃ〜５ｈ      月次センサー
５ｉ〜５ｎ      小基盤
５ｏ〜５ｔ      ボタンセンサー
５ｕ〜５ｚ      配線
５ａａ          配線
５ａｂ          配線
６              基盤
６ａ〜６ｉ      配線
６ｊ            緊急ボタン
６ｋ            電源
７              中央処理装置（ＣＰＵ）
８              スピーカー部
８ａ            カバー
８ｂ            スピーカー
９              挿入部
１０            ＩＣカード
１１            一組のカレンダー装置
１１ａ          上半期のカレンダー装置
１１ｂ          下半期のカレンダー装置
１１ｃ〜１１ｎ  月次カレンダー
１２            カレンダー装置
１３            カレンダー装置システム
１３ａ          カレンダー装置
１３ｂ          スピーカー
１３ｃ          非常ボタン
１３ｄ          挿入部
１３ｅ          カレンダー装置の表示方法
１４            カバー
１４ａ          市町村のお知らせ
１４ｂ          月表示
１４ｃ          曜日表示
１４ｄ          日付表示
１４ｅ          行事内容
１５            ＩＣカード等
１６            情報入力用コンピューター
１６ａ          表示画面
１６ｂ          キーボード
１７            リモートコントロールユニット
１７ａ          表示部
１７ｂ          非常ボタン
１７ｃ          操作ボタン
１８            本体
１８ａ          基盤
１８ｂ          センサー部
１８ｃ          制御装置
１８ｄ          電源
１８ｅ          曜日センサー
１８ｆ          日付センサー
１８ｇ          配線
１８ｈ          スピーカー
１８ｉ          非常ボタン
１８ｊ          リモコンセンサー
１９            テレビ
１９ａ          表示部
１９ｂ          スピーカー
１９ｃ          市町村のお知らせ
１９ｄ          月表示
１９ｅ          日付表示
１９ｆ          本日の予定
１９ｇ          行事内容
１９ｈ          非常ボタン
２０            音声データ入力ブース
２０ａ          ボックス
２０ｂ          扉
２０ｃ          換気ユニット
２０ｄ          取手
２０ｅ          蝶番
２０ｆ          収録装置
２０ｇ          付属機器
Ｓ１            市町村のお知らせ
Ｓ２            月表示
Ｓ３            曜日表示
Ｓ４            本日の予定
Ｓ５            行政、教育、福祉その他（行事内容）
Ｓ６            アナウンス開始
【図１】
0003747439.tif 000002
【図２】
0003747439.tif 000003
【図３】
0003747439.tif 000004
【図４】
0003747439.tif 000005
【図５】
0003747439.tif 000006
【図６】
0003747439.tif 000007
【図７】
0003747439.tif 000008
【図８】
0003747439.tif 000009
【図９】
0003747439.tif 000010
【図１０】
0003747439.tif 000011
【図１１】
0003747439.tif 000012
【図１２】
0003747439.tif 000013
【図１３】
0003747439.tif 000014
【図１４】
0003747439.tif 000015
【図１５】
0003747439.tif 000016
【図１６】
0003747439.tif 000017
【図１７】
0003747439.tif 000018